(57)【要約】コンタクトレンズと汚染物を隔離できるコンタクトレンズの洗浄と収容用ケースを提供する。【解決手段】基座、二個のレンズ支持部材、排出部、数個の開口部および二個のキャップが含まれる。上記基座には二個の収容部が設けられることにより、液体を収容する。上記二個のレンズ支持部材はそれぞれ上記二個の収容部の内の一個の下壁部の上方に位置され、さらに上記二個のレンズ支持部材はそれぞれ少なくとも局部的に上記二個の収容部の内部に位置され、上記二個のレンズ支持部材にはそれぞれ底壁部が形成される。上記排出部は上記レンズ支持部材の底壁部まで連通するように形成されることにより、液体を上記レンズ支持部材から上記収容部まで排出するように形成され、上記排出部には他に複数個の縮径口が設けられるため、液体の流速を制限することにより、液体を上記レンズ支持部材から上記収容部まで排出する時間を１０秒から１５秒の範囲内に制御する。上記開口部により液体を外部の大気および上記収容部の間まで連通させることにより、上記収容部の内部の空気を取り換えることができる。上記二個のキャップはそれぞれ移動自在に上記二個のレンズ支持部材を覆い被ることができるように構成されている。【選択図】        図２
0003128890.tif 000002
【実用新案登録請求の範囲】
【請求項１】
基座、少なくとも一個のレンズ支持部材、排出部および少なくとも一個のキャップが含まれ、上記基座には少なくとも一個の収容部が設けられることにより、上記収容部は液体を収容するのに用いられ、上記レンズ支持部材は上記少なくとも一個の収容部の下壁部の上方に位置され、さらに上記レンズ支持部材にはそれぞれ底壁部が形成され、上記排出部は上記少なくとも一個のレンズ支持部材の底壁部まで連通するように形成されることにより、液体を上記少なくとも一個のレンズ支持部材から上記少なくとも一個の収容部まで排出するように形成され、上記キャップは移動自在に上記少なくとも一個のレンズ支持部材を覆い被るように形成されることを特徴とする汚染物隔離可能なコンタクトレンズの洗浄と収容用ケース。
【請求項２】
上記少なくとも一個のレンズ支持部材は少なくとも局部的に上記少なくとも一個の収容部の内部に位置するように形成されることを特徴とする請求項１記載の汚染物隔離可能なコンタクトレンズの洗浄と収容用ケース。
【請求項３】
上記少なくとも一個のレンズ支持部材は上記基座に固設されることを特徴とする請求項２記載の汚染物隔離可能なコンタクトレンズの洗浄と収容用ケース。
【請求項４】
上記少なくとも一個のレンズ支持部材にはボール状部材が含まれ、上記ボール状部材はコンタクトレンズを載置するのに用いられ、さらに上記排出部には排水管が含まれ、上記排水管は上記ボール状部材の底部から延伸してなるものであることを特徴とする請求項３記載の汚染物隔離可能なコンタクトレンズの洗浄と収容用ケース。
【請求項５】
上記排出部には排水管が含まれ、上記排水管は上記レンズ支持部材の底部から延伸してなるものであることを特徴とする請求項１記載の汚染物隔離可能なコンタクトレンズの洗浄と収容用ケース。
【請求項６】
上記排水管には複数個の排水口が含まれることを特徴とする請求項５記載の汚染物隔離可能なコンタクトレンズの洗浄と収容用ケース。
【請求項７】
上記複数個の排水口は一定の直径を有するように形成されることにより、液体が上記排水口を通過する流速を制限することができるため、液体が上記少なくとも一個のレンズ支持部材から上記少なくとも一個の収容部まで排出する時間は予定時間の範囲より小さくなるように形成されることを特徴とする請求項６記載の汚染物隔離可能なコンタクトレンズの洗浄と収容用ケース。
【請求項８】
上記予定時間の範囲は実質上として１０秒から１５秒の間に介在するように形成されることを特徴とする請求項７記載の汚染物隔離可能なコンタクトレンズの洗浄と収容用ケース。
【請求項９】
上記レンズ支持部材の底部には複数個の排水口が含まれ、上記排水管は上記レンズ支持部材の底部まで連接され、上記排水管は上記複数個の排水口の周囲に環設されることを特徴とする請求項５記載の汚染物隔離可能なコンタクトレンズの洗浄と収容用ケース。
【請求項１０】
上記複数個の排水口は一定の直径を有するように形成されることにより、液体が上記排水口を通過する流速を制限することができるため、液体が上記少なくとも一個のレンズ支持部材から上記少なくとも一個の収容部まで排出する時間は予定時間の範囲より小さくなるように形成されることを特徴とする請求項９記載の汚染物隔離可能なコンタクトレンズの洗浄と収容用ケース。
【請求項１１】
上記予定時間の範囲は実質上として１０秒から１５秒の間に介在するように形成されることを特徴とする請求項１０記載の汚染物隔離可能なコンタクトレンズの洗浄と収容用ケース。
【請求項１２】
上記少なくとも一個のレンズ支持部材には少なくとも一個の排水口が設けられ、上記排水口により液体を外部の大気および上記少なくとも一個の収容部の間まで連通することを特徴とする請求項１記載の汚染物隔離可能なコンタクトレンズの洗浄と収容用ケース。
【請求項１３】
上記少なくとも一個のキャップが上記少なくとも一個のレンズ支持部材を覆い被った時、上記少なくとも一個のキャップは上記少なくとも一個の排水口を阻止するように形成されることを特徴とする請求項１２記載の汚染物隔離可能なコンタクトレンズの洗浄と収容用ケース。
【請求項１４】
上記少なくとも一個のレンズ支持部材には少なくとも一個のボール状部材および少なくとも一個の環状フランジが含まれ、上記ボール状部材はコンタクトレンズを支持するのに用いられ、上記環状フランジは上記ボール状部材まで連接されることにより、上記少なくとも一個のレンズ支持部材は上記基座まで連接され、さらに上記少なくとも一個の排水口は上記環状フランジに設けられることを特徴とする請求項１２記載の汚染物隔離可能なコンタクトレンズの洗浄と収容用ケース。
【請求項１５】
上記基座には少なくとも一個の凹溝が含まれ、上記少なくとも一個のレンズ支持部材には対応するように少なくとも一個の鉤部が含まれ、上記鉤部は上記環状フランジに設けられ、上記少なくとも一個の鉤部は上記少なくとも一個の凹溝を係止するのに用いられることにより、上記少なくとも一個のレンズ支持部材を上記基座に固定することを特徴とする請求項１４記載の汚染物隔離可能なコンタクトレンズの洗浄と収容用ケース。
【請求項１６】
上記基座には上表面が形成され、上記少なくとも一個のレンズ支持部材には対応するように下表面が形成されることにより、平らに上記基座の上表面を係止すると共に、上記基座の上表面に固定することを特徴とする請求項１記載の汚染物隔離可能なコンタクトレンズの洗浄と収容用ケース。
【請求項１７】
上記少なくとも一個のレンズ支持部材には環状壁部および少なくとも一個の排水口が含まれ、上記環状壁部は少なくとも局部的に上記レンズ支持部材の下表面の上方まで延伸するように形成され、上記排水口により液体を上記環状壁部を経て外部の大気および上記少なくとも一個の収容部の間まで連通することを特徴とする請求項１６記載の汚染物隔離可能なコンタクトレンズの洗浄と収容用ケース。
【請求項１８】
コンタクトレンズの洗浄と収容用ケースの汚染物隔離構造において、上記ケースには基座と少なくとも一個のキャップが含まれ、上記基座には少なくとも一個の収容部が設けられることにより、液体を収容することができ、上記汚染物隔離構造には少なくとも一個のレンズ支持部材と少なくとも一個の排出部が含まれ、上記少なくとも一個のレンズ支持部材は上記少なくとも一個の収容部の下壁部の上方に位置すると共に、上記レンズ支持部材にはそれぞれ底部が形成され、上記少なくとも一個の排出部は各上記レンズ支持部材の底部に設けられることにより、液体を上記少なくとも一個のレンズ支持部材から上記少なくとも一個の収容部まで排出することを特徴とするコンタクトレンズの洗浄と収容用ケースの汚染物隔離構造。
【請求項１９】
上記少なくとも一個のレンズ支持部材は少なくとも局部的に上記少なくとも一個の収容部の内部に位置するように形成されることを特徴とする請求項１８記載のコンタクトレンズの洗浄と収容用ケースの汚染物隔離構造。
【請求項２０】
上記少なくとも一個のレンズ支持部材には一個の構造が含まれることにより、上記少なくとも一個のレンズ支持部材を上記基座に固設することを特徴とする請求項１８記載のコンタクトレンズの洗浄と収容用ケースの汚染物隔離構造。
【請求項２１】
上記少なくとも一個のレンズ支持部材にはボール状部材が含まれ、上記ボール状部材はコンタクトレンズを載置するのに用いられ、さらに上記排出部には排水管が含まれ、上記排水管は上記ボール状部材の底部から延伸してなるものであることを特徴とする請求項１８記載のコンタクトレンズの洗浄と収容用ケースの汚染物隔離構造。
【請求項２２】
上記排出部には排水管が含まれ、上記排水管は上記レンズ支持部材の底部から延伸してなるものであることを特徴とする請求項１８記載のコンタクトレンズの洗浄と収容用ケースの汚染物隔離構造。
【請求項２３】
上記排水管には複数個の排水口が含まれることを特徴とする請求項２２記載のコンタクトレンズの洗浄と収容用ケースの汚染物隔離構造。
【請求項２４】
上記複数個の排水口は一定の直径を有するように形成されることにより、液体が上記排水口を通過する流速を制限することができるため、液体が上記少なくとも一個のレンズ支持部材から上記少なくとも一個の収容部まで排出する時間は予定時間の範囲より小さくなるように形成されることを特徴とする請求項２３記載のコンタクトレンズの洗浄と収容用ケースの汚染物隔離構造。
【請求項２５】
上記予定時間の範囲は実質上として１０秒から１５秒の間に介在するように形成されることを特徴とする請求項２４記載のコンタクトレンズの洗浄と収容用ケースの汚染物隔離構造。
【請求項２６】
上記レンズ支持部材の底部には複数個の排水口が含まれ、上記排水管は上記レンズ支持部材の底部まで連接され、上記排水管は上記複数個の排水口の周囲に環設されることを特徴とする請求項２２記載のコンタクトレンズの洗浄と収容用ケースの汚染物隔離構造。
【請求項２７】
上記複数個の排水口は一定の直径を有するように形成されることにより、液体が上記排水口を通過する流速を制限することができるため、液体が上記少なくとも一個のレンズ支持部材から上記少なくとも一個の収容部まで排出する時間は予定時間の範囲より小さくなるように形成されることを特徴とする請求項２６記載のコンタクトレンズの洗浄と収容用ケースの汚染物隔離構造。
【請求項２８】
上記予定時間の範囲は実質上として１０秒から１５秒の間に介在するように形成されることを特徴とする請求項２７記載のコンタクトレンズの洗浄と収容用ケースの汚染物隔離構造。
【請求項２９】
上記少なくとも一個のレンズ支持部材には少なくとも一個の排水口が設けられ、上記排水口により液体を外部の大気および上記少なくとも一個の収容部の間まで連通することを特徴とする請求項１８記載のコンタクトレンズの洗浄と収容用ケースの汚染物隔離構造。
【請求項３０】
上記少なくとも一個のレンズ支持部材には少なくとも一個のボール状部材および少なくとも一個の環状フランジが含まれ、上記ボール状部材はコンタクトレンズを支持するのに用いられ、上記環状フランジは上記ボール状部材まで連接されることにより、上記少なくとも一個のレンズ支持部材は上記基座まで連接され、さらに上記少なくとも一個の排水口は上記環状フランジに設けられることを特徴とする請求項２９記載のコンタクトレンズの洗浄と収容用ケースの汚染物隔離構造。
【請求項３１】
上記基座には少なくとも一個の凹溝が含まれ、上記少なくとも一個のレンズ支持部材には対応するように少なくとも一個の鉤部が含まれ、上記鉤部は上記環状フランジに設けられ、上記少なくとも一個の鉤部は上記少なくとも一個の凹溝を係止するのに用いられることにより、上記少なくとも一個のレンズ支持部材を上記基座に固定することを特徴とする請求項１８記載のコンタクトレンズの洗浄と収容用ケースの汚染物隔離構造。
【請求項３２】
上記基座には上表面が形成され、上記少なくとも一個のレンズ支持部材には対応するように下表面が形成されることにより、平らに上記基座の上表面を係止すると共に、上記基座の上表面に固定することを特徴とする請求項１８記載のコンタクトレンズの洗浄と収容用ケースの汚染物隔離構造。
【請求項３３】
上記少なくとも一個のレンズ支持部材には環状壁部および少なくとも一個の排水口が含まれ、上記環状壁部は少なくとも局部的に上記レンズ支持部材の下表面の上方まで延伸するように形成され、上記排水口により液体を上記環状壁部を経て外部の大気および上記少なくとも一個の収容部の間まで連通することを特徴とする請求項３２記載のコンタクトレンズの洗浄と収容用ケースの汚染物隔離構造。
【考案の詳細な説明】
【技術分野】
【０００１】
本考案は、汚染物隔離可能なコンタクトレンズの洗浄と収容用ケースに関するもので、特に隔離構造を設けることによってコンタクトレンズと汚染物を隔離できるコンタクトレンズの洗浄と収容用ケースに係るものである。
【背景技術】
【０００２】
現在、各種のコンタクトレンズを収容と洗浄するコンタクトレンズ用ケースが沢山出ている。通常として、従来のコンタクトレンズのケースには基座が含まれ、上記基座には二個のコンタクトレンズ、洗浄液および／または食塩水を収容するための井戸部または間切りが設けられる。また、ねじタイプのキャップは移動自在に上記基座に螺設されることにより、各井戸部に対応して覆い被るようとしたものがある。
【考案の開示】
【考案が解決しようとする課題】
【０００３】
上記のような従来のコンタクトレンズのケースにおいては、コンタクトレンズと洗浄液が共同で一個の井戸部に置き入れられた時、上記コンタクトレンズの汚染物はやはり同じ井戸部の内部に残留していると共に、上記コンタクトレンズに接触している。すなわち、上記コンタクトレンズでは汚染物を有効に除去することができない。上記コンタクトレンズを取り出して使用者の眼部に入れた時、蛋白質と細菌を始め、沢山の汚染物はコンタクトレンズに残留していると共に、新しい溶液を汚してしまう。そのため、使用者は翌日も汚染物を有したコンタクトレンズを使用しているかもしれない。このように、コンタクトレンズの使用寿命、装着時の快適度と装着時の視力に影響を及ぼしてしまうという問題点があった。さらに、コンタクトレンズの沈殿物をコンタクトレンズの表面から適当に除去しないと、上記沈殿物は永久的にコンタクトレンズに結合されるため、使用者に装着時の不快感を与えたり、コンタクトレンズの買い替えの回数が増えたりする。その他に、洗浄されていないコンタクトレンズが収容用ケースに一晩放置すると、細菌、微生物が発生したり、さらに眼部に感染症が生じてしまう虞がある。上述した要素に基づき、確実に上記のような従来のコンタクトレンズのケースをさらに改良しなければならない。
【０００４】
本考案の第一の目的は、上述した従来の技術における技術課題を克服するのに用いられることにより、洗浄の効率、装着時の快適度と使用寿命を高めることができる汚染物隔離可能なコンタクトレンズの洗浄と収容用ケースを提供しようとするものである。
【０００５】
本考案の第二の目的は、隔離構造が設けられることにより、汚染物とコンタクトレンズを隔離することができるため、汚染物を除去する効率を増やすことができる汚染物隔離可能なコンタクトレンズの洗浄と収容用ケースを提供しようとするものである。
【０００６】
本考案の第三の目的は、洗浄液を使用して予定の時間内においてコンタクトレンズを洗浄し、それから上記洗浄液を汚染物と一緒にもう一方の位置まで排出することにより、汚染物を除去する効率を増やすことができる汚染物隔離可能なコンタクトレンズの洗浄と収容用ケースを提供しようとするものである。
【０００７】
本考案の第四の目的は、ケースが逆さになっても、汚染物によりケースの内部に収容されたコンタクトレンズを二次汚染することがないため、洗浄の信頼性を増やすことができる汚染物隔離可能なコンタクトレンズの洗浄と収容用ケースを提供しようとするものである。
【０００８】
本考案の第五の目的は、眼部感染の危険性を減らすことができる汚染物隔離可能なコンタクトレンズの洗浄と収容用ケースを提供しようとするものである。
【０００９】
本考案の第六の目的は、コンタクトレンズの装着時の快適度を改善することができる汚染物隔離可能なコンタクトレンズの洗浄と収容用ケースを提供しようとするものである。
【００１０】
本考案の第七の目的は、コンタクトレンズの装着時の視力を改善することができる汚染物隔離可能なコンタクトレンズの洗浄と収容用ケースを提供しようとするものである。
【００１１】
本考案の第八の目的は、製造が簡単になると共に、使用上においても便利になり、さらに製造コストと使用上のコストを減らすことができる汚染物隔離可能なコンタクトレンズの洗浄と収容用ケースを提供しようとするものである。
【課題を解決するための手段】
【００１２】
本考案の汚染物隔離可能なコンタクトレンズの洗浄と収容用ケースによれば、基座、少なくとも一個のレンズ支持部材、排出部および少なくとも一個のキャップが含まれる。上記基座には少なくとも一個の収容部が設けられることにより、液体を収容することができる。上記少なくとも一個のレンズ支持部材は上記少なくとも一個の収容部の下壁部の上方に位置され、さらに上記少なくとも一個のレンズ支持部材にはそれぞれ底壁部が形成される。上記排出部は上記レンズ支持部材の底壁部まで連通するように形成されることにより、液体を上記少なくとも一個のレンズ支持部材から上記少なくとも一個の収容部まで排出するように形成される。上記少なくとも一個のキャップは移動自在に上記少なくとも一個のレンズ支持部材を覆い被るように用いられる。
【００１３】
上記少なくとも一個のレンズ支持部材は少なくとも局部的に上記少なくとも一個の収容部の内部に位置するように形成されると共に、上記基座に固設される。
【００１４】
各レンズ支持部材にはボール状部材が含まれることにより、コンタクトレンズを支持することができる。さらに、上記排出部には排水管が含まれ、上記排水管は上記ボール状部材の底部から延伸してなるものである。特に、上記排出部には排水管が含まれ、上記排水管は上記レンズ支持部材の底部から延伸してなるものである。一つの実施例において、上記排水管には複数個の開口部が含まれる。もう一つの実施例に於いて、上記レンズ支持部材の底部には複数個の開口部が含まれ、さらに上記排水管は上記底部まで連通すると共に、上記開口部の周囲に環設される。もう一つの実施例において、上記開口部の直径は液体の流速を制限できるように設計されるため、液体が予定時間に達していない前に上記少なくとも一個のレンズ支持部材を経て少なくとも一個の収容部まで排出するのを避けることができ、例えば１０秒から１５秒の時間範囲に達していない前である。
【００１５】
また、上記少なくとも一個のレンズ支持部材には少なくとも一個の排水口が含まれることにより、液体を外部の大気および上記少なくとも一個の収容部の間まで連通することができる。一つの実施例において、上記少なくとも一個のレンズ支持部材にはボール状部材および環状フランジが含まれ、上記ボール状部材はコンタクトレンズを支持するのに用いられ、上記環状フランジは上記ボール状部材まで連接されることにより、上記少なくとも一個のレンズ支持部材は上記基座まで連接され、さらに上記少なくとも一個の排水口は上記環状フランジに設けられる。この時、結合を簡単に行うべく、上記基座には少なくとも一個の凹溝が含まれ、上記少なくとも一個のレンズ支持部材には対応するように少なくとも一個の鉤部が含まれ、上記鉤部は上記環状フランジに設けられ、上記少なくとも一個の鉤部は上記少なくとも一個の凹溝を係止するのに用いられることにより、上記少なくとも一個のレンズ支持部材を上記基座に固定することができる。もう一つの実施例において、上記基座には上表面が形成され、上記少なくとも一個のレンズ支持部材には対応するように下表面が形成されることにより、平らに上記基座の上表面を係止すると共に、上記基座の上表面に固定する。この時、上記少なくとも一個のレンズ支持部材には環状壁部および少なくとも一個の排水口が含まれ、上記環状壁部は少なくとも局部的に上記レンズ支持部材の下表面の上方まで延伸するように形成され、上記排水口により液体を上記環状壁部を経て外部の大気および上記少なくとも一個の収容部の間まで連通することができる。もう一つの実施例において、上記少なくとも一個のキャップが各上記レンズ支持部材を覆い被った時、上記少なくとも一個のキャップは上記少なくとも一個の排水口を阻止することができる。
【００１６】
さらに、本考案において汚染物隔離構造が掲示される。上記汚染物隔離構造はコンタクトレンズの洗浄と収容用ケースに使用され、上記ケースには基座、少なくとも一個のキャップおよび排出部が含まれる。上記基座には少なくとも一個の収容部が設けられることにより、液体を収容することができる。上記キャップにはレンズ支持部材が設けられ、上記レンズ支持部材は上記少なくとも一個の収容部の下壁部の上方に位置すると共に、上記レンズ支持部材にはそれぞれ底部が形成される。上記排出部は各上記レンズ支持部材の底部に設けられることにより、液体を上記少なくとも一個のレンズ支持部材から上記少なくとも一個の収容部まで排出することができる。
【考案を実施するための最良の形態】
【００１７】
本考案の実施の形態について、以下、図面を参照して説明する。
【実施例１】
【００１８】
図１から図６を参照すると、本考案の実施例１の汚染物隔離可能なコンタクトレンズの洗浄と収容用ケース１０は小型で携帯用のタイプに属すると共に、射出成形のできるプラスチック材料またはいかなる液体漏れのない材料により製成される。ケース１０には基座１２、二個の隔離挿入部材１４および二個のキャップ１６が含まれる。隔離挿入部材１４は基座１２の内部に位置するように形成される。
【００１９】
図１を参照すると、基座１２には楕円板１８が含まれ、楕円板１８は略８字形に形成されると共に、大体一定の肉厚を有するように形成される。特に、楕円板１８には左半部２０、右半部２２と中央連接部２４が含まれ、左半部２０と右半部２２は略円形に形成され、中央連接部２４は縮径状に形成される。中央連接部２４は左半部２０と右半部２２を連接すると共に、中央連接部２４の幅は左半部２０と右半部２２の幅より小さくなるように形成される。環状板２３は一定の高さを有すると共に、一体になるように楕円板１８の周面に成形され、そして楕円板１８の周面から下方へ延伸するように形成されるため、基座１０を表面上において支持することができる。
【００２０】
図２を参照すると、収容部２６は型によりボール状に製成され、そして左半部２０に形成され、さらにもう一つの相似の収容部２８は型によりボール状に製成され、そして右半部２２に形成される。二個の収容部２６、２８は楕円板１８から上方および下方へ延伸するように形成され、そして二個の収容部２６、２８にはそれぞれ井戸部が形成されることにより、液体を支持し収容することができる。
【００２１】
再び図２を参照すると、二個の収容部２６、２８は好ましくは同じ構造を有するように形成され、すなわち二個の収容部２６、２８は略円柱状に形成され、その直径は約2.0cmから3.0cmの間に介在するように形成され、さらにその高さは約0.5cmから2.0cmの間に介在するように形成される。二個の収容部２６、２８には他にそれぞれ内壁３０、外環状壁３２とねじ部３４が含まれ、内壁３０は略円弧の平らなボール状に形成される。ねじ部３４は外環状壁３２の一つの部位に形成され、そして楕円板１８の上方まで延伸するように形成される。
【００２２】
また、図２、３を参照すると、内壁３０には同じ角度の間隔で複数個の凹溝部３６が設置され、例えば４個の凹溝部３６が設置される。内壁３０には内斜面部３０ａが形成され、内斜面部３０ａは内壁３０の上端縁から各凹溝部３６まで延伸するように形成されるため、内斜面部３０ａと凹溝部３６との境界部には逆さ肩部３７が形成される。上述した構造の設置目的は下記にて詳しく説明する。
【００２３】
図２、４、５を参照すると、二個の隔離挿入部材１４は基座１２の内部に位置され、そして同じ構造を有するように形成される。特に、二個の隔離挿入部材１４はそれぞれ係合の方式で各収容部２６、２８に設けられる。二個の隔離挿入部材１４にはそれぞれボール状部材３８が含まれ、ボール状部材３８は略円錐形に形成され、そして緩やかな下斜する円弧壁が形成される。ボール状部材３８は好ましくは複数個の緩下斜部４０により形成され、そして緩下斜部４０の垂直の縁は互いに連結するように形成される。図４、５に示す緩下斜部４０の数は好ましくは１２個であるが、本考案においては緩下斜部４０の数を限定していない。例えば、図４、５に示すように、緩下斜部４０は円周方向と垂直方向において少し湾曲になるように形成されるため、ボール状部材３８の内表面は垂直に上がって複数個の不連続線４２が形成される。コンタクトレンズが長時間に消毒液の内部に保存さている時、不連続線４２によりコンタクトレンズがボール状部材３８の内壁面に貼り付くのを避けることができる。しかし、本考案においては、ボール状部材３８の内壁面の構造を限定しておらず、ボール状部材３８の内壁面は完全な平らの平面になるのを選択することができる。
【００２４】
再び図２、４、５を参照すると、ボール状部材３８の低部の開放端は底壁部４４により開閉することができ、そして底壁部４４には複数個の小型の排水口４６が設けられる。図４、５に示すように、排水口４６の数は好ましくは４個であるが、本考案においてはその数を限定していない。理解できるのは、排水口４６の直径はボール状部材３８の内部の消毒液が約１０秒から１５秒の間に排出し終えるように設計することができるため、充分な時間を提供してボール状部材３８の内部のコンタクトレンズを洗浄することができる。
【００２５】
再び図２、４、５を参照すると、排水管４８は型によりボール状部材３８の底端に成形され、そして底壁部４４の周囲に環設されるため、排水口４６から排出された液体は再び排水管４８を経て排出される。
【００２６】
再び図２、３、４、５を参照すると、ボール状部材３８の上端には型により上環状フランジ５０が形成され、上環状フランジ５０は半径方向で外へ向かって延伸するように形成される。上環状フランジ５０には同じ角度の間隔で４個の長孔５２が形成される。また、上環状フランジ５０の外縁には同じ角度の間隔で４個のＬ字形鉤部５４が形成され、Ｌ字形鉤部５４は下方へおよび半径方向で外へ向かって延伸するように形成される。特に、各Ｌ字形鉤部５４には第一脚５４ａ、第二脚５４ｂと傾斜外表面５４ｃが含まれる。第一脚５４ａは上環状フランジ５０の下表面から下方へ延伸するように形成される。第二脚５４ｂは第一脚５４ａの底端から径向で外へ向かって延伸するように形成される。傾斜外表面５４ｃは第二脚５４ｂに形成され、そして下方および内へ向かって傾斜するように形成された斜面である。そのため、隔離挿入部材１４がボール状収容部２６、２８の内部に位置決めされた時、傾斜外表面５４ｃは内斜面部３０ａに当接することができ、さらに径向で内へ向かって弾性的に圧迫するように形成される。傾斜外表面５４ｃの上端が下方へ向かって内斜面部３０ａの底縁を跨って越えた時、Ｌ字形鉤部５４から生じた弾性偏圧により第二脚５４ｂは凹溝部３６に嵌入するため、逆さ肩部３７が第二脚５４ｂの上表面に係止することによって係止による位置決めを完成し、さらに隔離挿入部材１４は各ボール状収容部２６、２８に係止するように形成される。
【００２７】
再び図２、６を参照すると、キャップ１６にはそれぞれ円形上壁５６と環状板５８が含まれる。環状壁５８は円形上壁５６の外縁から下方へ延伸するように形成される。環状壁５８の内表面にはねじ部６０が含まれ、ねじ部６０はねじ部３４に対応するように形成されるため、本考案の領域は従来の技術と同様に各キャップ１６は密封の方式でボール状収容部２６、２８に螺設して結合することができる。キャップ１６がボール状収容部２６、２８に螺設された時、キャップ１６の底縁は上環状フランジ５０に当接するように形成され、さらに長孔５２を密封する。
【００２８】
図１２、１３を参照すると、操作時において、コンタクトレンズ６２はボール状部材３８の内部に放置され、さらに搾り出し容器６６の内部の消毒液６４がボール収容部２６の内部に注入されることにより、強力にコンタクトレンズ６２を掛け流したり洗浄したりすることができる。搾り出し容器６６から噴出された高圧の消毒液６４によりコンタクトレンズ６２に消毒液６４を完全に掛け流すことができる。開口部４６の直径が小さいため、消毒液６４が排水管４８を経てボール状収容部２６まで排出される前、上記掛け流しの作動は約10秒から１５秒の時間が掛かる。コンタクトレンズ６２のいかなる汚染物は消毒液６４により完全に洗浄され、そして汚染物は消毒液６４と一緒にボール状収容部２６の内部まで移送される。ボール状収容部２６の内部のいかなる空気は長孔５２を経て排出するように圧迫されることにより、更に多くの消毒液６４はボール状収容部２６の内部まで排出することができる。ボール状収容部２６に消毒液６４がすでに充満され、または過量な消毒液６４が進入し続けると、新しい消毒液６４はコンタクトレンズ６２を覆い被り、さらにボール状部材３８の内部まで充満してしまう。すなわち、全ての内部空間には全て溶液が充満され、そして空気も含まれていない。それから、キャップ１６をボール状収容部２６に螺設し結合する。
【００２９】
再び図１２、１３を参照すると、汚染物がすでに排水管４８を経て下方のボール状収容部２６の内部まで排出されるため、ボール状部材３８の内部の消毒液６４は相対的にきれいで汚染されていない。実際として、ボール状部材３８は隔離構造として汚染されていない消毒液６４を上層に隔離し、さらにすでに汚染された消毒液６４を下層に隔離するように形成される。また、ボール状部材３８には消毒液６４が充満されているため、もしケース１０がキャップ１６を螺設して結合した後、逆さの状態に形成された時、汚染された消毒液６４がボール状部材３８の内部に進入するのを避けることができ、そして汚染された消毒液６４によりコンタクトレンズ６２をさらに汚染してしまうのを防止することができる。
【００３０】
再び図１２、１３を参照すると、例えば使用者が翌朝再びコンタクトレンズ６２を付ける時、先ずキャップ１６を除去し、さらに各コンタクトレンズ６２を上述した汚染されていない消毒液６４から取り出し、そして使用者の眼部に付ける。キャップ１６がすでに除去されるため、この場合、もしケース１０がすでに上を向いて放置されると、ボール状部材３８の内部に汚染されていない消毒液６４は先に排出されるため、汚染された消毒液６４の排出に邪魔することなく、それからすでに汚染された消毒液６４は順序よく排水管４８、排水口４６と長孔５２を経て排出される。
【００３１】
このように、本考案においては消毒液６４を利用してコンタクトレンズ６２に消毒液６４を掛け流すことができるため、コンタクトレンズ６２から汚染物を洗浄することができる。さらに、消毒液６４を比較的低い位置に誘導していくことができるため、コンタクトレンズ６２が汚染されていない消毒液６４の内部に位置するのを保持することができ、そして上述の洗浄されたボール状部材３８の内部に放置することができる。
【００３２】
本考案が独立の実験室で執行された実験において、本考案ではコンタクトレンズの表面から99.97％の細菌を除去するのを証明することができる。
【００３３】
理解できるのは、上述した隔離挿入部材１４は係止の方式を利用してボール状収容部２６、２８に結合されるが、隔離挿入部材１４は独立した部材から選択することもでき、そして移動自在の方式を利用して簡単にボール状収容部２６、２８に結合することができるため、上述した係合またはその相似の構造を省略することができる。これにより、隔離挿入部材１４は従来のコンタクトレンズのケースに使用することができる。この時、使用上の需要性に応じて、複数個の安定した脚またはその相似の構造を選択的に設置することができるため、従来のコンタクトレンズのケースとさらに安定した組立の関係を持つことができる。
【実施例２】
【００３４】
図７から図１１を参照すると、本考案の実施例２の汚染物隔離可能なコンタクトレンズの洗浄と収容用ケース１１０が掲示される。実施例１と比較してみると、実施例２のケース１１０において部分的な部材は実施例１とは同じであり、上記部材の符号は実施例１とは対応するように番号が相対的に「１００」番を増え、例えば実施例２のケース１１０は実施例１のケース１０とは対応するように番号付けされる。
【００３５】
図７を参照すると、本考案の実施例２のケース１１０は射出成形のできるプラスチック材料またはいかなる液体漏れのない材料により製成される。ケース１１０には基座１１２、隔離挿入部材１１４および二個のキャップ１１６が含まれる。隔離挿入部材１１４は基座１１２の内部に位置するように形成される。
【００３６】
図７、８、９を参照すると、基座１１２には楕円板１１８が含まれ、楕円板１１８は略卵形に形成され、特に平直の側縁と半円形の端縁を有するように形成されると共に、大体一定の肉厚を有するように形成される。収容部１２６は型によりボール状に製成されると共に、楕円板１１８の一端に形成され、そして下方へ向かって垂設される。さらに、もう一つの相似の収容部１２８は型によりボール状に製成されると共に、楕円板１１８の他端に形成され、そして下方へ向かって垂設される。二個の収容部１２６、１２８の上端は楕円板１１８を貫穿して開放状に形成される。
【００３７】
再び図７、８、９を参照すると、二個の収容部１２６、１２８は好ましくは同じ構造を有するように形成され、すなわち二個の収容部１２６、１２８は略円柱状に形成され、その直径は約2.0cmから3.0cmの間に介在するように形成され、さらにその高さは約0.5cmから2.0cmの間に介在するように形成される。
【００３８】
図８、９、１０、１１を参照すると、隔離挿入部材１４には楕円板１１５が含まれ、楕円板１１５のサイズは実質的に楕円板１１８のサイズとは同じになるため、楕円板１１５が楕円板１１８の上部に放置された時、楕円板１１５と楕円板１１８は選択的に超音波熔接（ultrasonic welding）、貼接などの方式を利用して一体になるように結合することができる。
【００３９】
再び図８、９、１０、１１を参照すると、隔離挿入部材１４には他に二個のボール状収容部１３８が含まれ、ボール状収容部１３８は略円柱状に形成されると共に、楕円板１１５の二個の対応端の上表面から延伸するように形成される。二個のボール状収容部１３８は楕円板１１５の上方の部位にはそれぞれ円柱壁１３８ａが形成され、さらに他に楕円板１１５の下方の部位にはそれぞれボール状部材１３８ｂが形成され、ボール状部材１３８ｂと円柱壁１３８ａは連続的な連接関係を保持するように形成される。
【００４０】
再び図９、１０、１１を参照すると、排水管１４８は円柱状に形成されると共に、型によりボール状部材１３８ｂの底端に成形され、排水管１４８は各ボール状収容部１３８に相対して同軸の排列に形成される。各排水管１４８には複数個の貫通孔１４６が含まれることにより、小型の排水口として形成することができる。図９、１０、１１に示すように、排水口１４６の数は好ましくは４個であるが、本考案においてはその数を限定していない。理解できるのは、排水口１４６の直径はボール状収容部１３８の内部の消毒液が約１０秒から１５秒の間に排出し終えるように設計することができるため、充分な時間を提供してボール状部材１３８ｂの内部のコンタクトレンズを洗浄することができる。また、貫通孔１４６の外径は収容部１２６、１２８の内径より小さくなるように形成されるため、ケース１１０が逆さになって液体を排出した時、部分的な液体は収容部１２６、１２８から貫通孔１４６を経て輸送を行うことができる。
【００４１】
再び図８、９、１０、１１を参照すると、収容部１３８の円柱壁１３８ａの外表面には他に選択的にねじ部１３４が含まれる。また、各円柱壁１３８ａには他に複数個の排水口１５２が貫穿して形成される。収容部１２６、１２８が液体を充満した時、排水口１５２により空気を排除する径路を提供することができ、そしてコンタクトレンズが取り出された後、排水口１５２により収容部１２６、１２８の内部の液体を排除する径路を提供することができる。排水口１５２は好ましくは円形に形成されるが、選択的にその他の形状から選択することができ、例えば卵形などから選択することができる。また、排水口１５２の数は好ましくは６個であるが、本考案においてはその数を限定しておらず、使用上の需要性に応じてその数を選択することができる。
【００４２】
再び図８、９を参照すると、キャップ１１６にはそれぞれ円形上壁１５６と環状板１５８が含まれる。環状壁１５８の内表面にはねじ部１６０が含まれ、ねじ部１６０はねじ部１３４に対応するように形成されるため、本考案の領域は従来の技術と同様に各キャップ１１６は密封の方式でボール状収容部１３８に螺設して結合することができる。キャップ１１６がボール状収容部１３８に螺設された時、キャップ１１６の円形上壁１５６の内面は円柱壁１３８ａの端面に当接するように形成され、さらに排水口１５２を密封する。
【００４３】
再び図１２、１３を参照すると、本考案の実施例２のコンタクトレンズの洗浄と収容用ケース１１０の操作の流れは実質上として本考案の図１から図６に示す実施例１の操作の流れとは同じであるため、ここでは再び詳しく説明しない。
【産業上の利用可能性】
【００４４】
本考案のコンタクトレンズの洗浄と収容用ケースには隔離構造が設けられ、隔離構造により汚染物を隔離することができるため、ケースの内部に収容されているコンタクトレンズを汚染してしまうのを避けることができる。特に、洗浄液を利用してコンタクトレンズを一定の時間で洗浄した後、洗浄液は汚染物と一緒に他の位置まで排出される。また、ケースを逆さに放置しても、汚染物も逆流することなく、さらにケースの内部に収容されたコンタクトレンズを汚染してしまうことがない。そのため、コンタクトレンズが二次汚染する虞がなくなる。さらに、本考案においては、洗浄液を循環的に使用していないため、いかなる殺菌の作業を必要としないのみならず、いかなる刺激的な化学剤を使用してコンタクトレンズに対して洗浄と殺菌を行う必要性がなくなるため、本考案の操作の流れは相対的に速くなると共に、手動による操作は完全に不要になる。
【００４５】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００４６】
【図１】本考案の実施例１のコンタクトレンズの洗浄と収容用ケースによる組み立てられた状態の立体図である。
【図２】本考案の実施例１のコンタクトレンズの洗浄と収容用ケースによる分解側面図と局部の断面図である。
【図３】本考案の実施例１のコンタクトレンズの洗浄と収容用ケースによる基座の平面図である。
【図４】本考案の実施例１のコンタクトレンズの洗浄と収容用ケースによる隔離挿入部材の平面図である。
【図５】本考案の実施例１のコンタクトレンズの洗浄と収容用ケースによる隔離挿入部材の底面図である。
【図６】本考案の実施例１のコンタクトレンズの洗浄と収容用ケースによるキャップの底面図である。
【図７】本考案の実施例２のコンタクトレンズの洗浄と収容用ケースによる組み立てられた状態の立体図である。
【図８】本考案の実施例２のコンタクトレンズの洗浄と収容用ケースによる分解立体図と平面図である。
【図９】本考案の実施例２のコンタクトレンズの洗浄と収容用ケースによる分解立体図と底面図である。
【図１０】本考案の実施例２のコンタクトレンズの洗浄と収容用ケースによる隔離挿入部材の平面図である。
【図１１】本考案の実施例２のコンタクトレンズの洗浄と収容用ケースによる隔離挿入部材の底面図である。
【図１２】本考案のコンタクトレンズの洗浄と収容用ケースに洗浄液を添加する操作を行う時の断面図である。
【図１３】本考案のコンタクトレンズの洗浄と収容用ケースにすでに洗浄液を添加してケースを閉めた後の断面図である。
【符号の説明】
【００４７】
１０    ケース                          １２    基座
１４    隔離挿入部材                    １６    キャップ
１８    楕円板                          ２０    左半部
２２    右半部                          ２３    環状板
２４    中央連接部                       ２６    収容部
２８    収容部                          ３０    内壁
３０ａ    内斜面部                        ３２    外環状壁
３４    ねじ部                          ３６    凹溝部
３７    逆さ肩部                        ３８    ボール状部材
４０    緩下斜部                        ４２    不連続線
４４    底壁部                          ４６    排水口
４８    排水管                          ５０    上環状フランジ
５２    長孔                            ５４    Ｌ字形鉤部
５４ａ    第一脚                        ５４ｂ    第二脚
５４ｃ    傾斜外表面                      ５６    圓形上壁
５８    環状板                          ６０    ねじ部
６２    コンタクトレンズ                ６４    消毒液
６６    搾り出し容器
１００    ケース                        １１２    基座
１１４    隔離挿入部材                  １１５    楕円板
１１６    キャップ                      １１８    楕円板
１２６    収容部                        １２８    収容部
１３４    ねじ部                        １３８    ボール状収容部
１３８ａ  円柱壁                        １３８ｂ  ボール状部材
１４６    貫通孔                        １４８    排水管
１５２    排水口                        １５６    圓形上壁
１５８    環状板                        １６０    ねじ部
【図１】
0003128890.tif 000003
【図２】
0003128890.tif 000004
【図３】
0003128890.tif 000005
【図４】
0003128890.tif 000006
【図５】
0003128890.tif 000007
【図６】
0003128890.tif 000008
【図７】
0003128890.tif 000009
【図８】
0003128890.tif 000010
【図９】
0003128890.tif 000011
【図１０】
0003128890.tif 000012
【図１１】
0003128890.tif 000013
【図１２】
0003128890.tif 000014
【図１３】
0003128890.tif 000015